(57)【要約】【課題】リモコンを備え、画像表示装置に接続された電子機器において、画像表示装置を介してリモコンの電池の消耗を使用者に通知する。【解決手段】リモコン１０、５０は、電池１３が消耗して電圧検知部１２が検知する電圧が所定の電圧以下になると、信号発信部１５から電池消耗信号を発信する。本体２０の受信部２２において、リモコン１０および５０から発信された電池消耗信号を受信すると、受信信号判断部２３でいずれのリモコンからの信号かを判断し、該当するリモコンの電池が消耗している旨のＯＳＤ表示と、その時点で再生している映像の内容と組み合わせた合成画像の信号を生成し、ディスプレイ４０ではその信号に基づいて合成画像を表示する。ディスプレイ４０の電源が切れている場合は電池消耗信号の受信を第２の制御部２１のメモリに記憶し、電源が入ると直ちにディスプレイ４０に電池の消耗について表示する。【選択図】図１
2008109309.tif 000002
【特許請求の範囲】
【請求項１】
電池と、前記電池の電圧を検知する電圧検知部と、前記電圧検知部が検知した前記電池の電圧が所定の電圧以下となったことを検知すると固有のコードとともに電池消耗信号を発信する信号発信部とを有するリモコンと、
前記電池消耗信号を受信する受信部と、表示部と、画像表示装置に信号を送信するインターフェイスとを有し、前記受信部において前記電池消耗信号を受信すると、前記表示部において前記電池が消耗したことを表示するとともに前記インターフェイスから前記電池が消耗したことを表示する信号を送信する本体とを備える電子機器において、
前記本体は、前記電池消耗信号を受信したときに前記画像表示装置の電源が切れていることを感知すると、前記電池消耗信号を受信したことをメモリに記憶し、その後前記画像表示装置の電源が入ったことを感知すると、前記メモリの前記電池消耗信号を受信した記憶に基づき前記インターフェイスから前記電池が消耗したことを表示する信号を送信するものであり、
かつ複数の前記リモコンについて前記電池消耗信号を受信可能であり、前記リモコンの各々について前記電池が消耗したことを表示する信号を前記インターフェイスから送信することを特徴とする電子機器。
【請求項２】
電池と、前記電池の電圧を検知する電圧検知部と、前記電圧検知部が検知した前記電池の電圧が所定の電圧以下となったことを検知すると固有のコードとともに電池消耗信号を発信する信号発信部とを有するリモコンと、
前記電池消耗信号を受信する受信部と、画像表示装置に信号を送信するインターフェイスとを有し、前記受信部において前記電池消耗信号を受信すると、前記インターフェイスから前記電池が消耗したことを表示する信号を送信する本体とを備える電子機器において、
前記本体は前記電池消耗信号を受信したときに前記画像表示装置の電源が切れていることを感知すると、前記電池消耗信号を受信したことをメモリに記憶し、その後前記画像表示装置の電源が入ったことを感知すると、前記メモリの前記電池消耗信号を受信した記憶に基づき前記インターフェイスから前記電池が消耗したことを表示する信号を送信することを特徴とする電子機器。
【請求項３】
前記本体が表示部を備え、前記受信部において前記本体に対応したリモコンから前記電池消耗信号を受信すると、前記表示部において前記本体に対応したリモコンの前記電池が消耗したことを表示する請求項２に記載の電子機器。
【発明の詳細な説明】
【技術分野】
【０００１】
本発明は、電子機器、特にＶＣＲ、ＤＶＤプレーヤなどのリモコンを備え、ディスプレイに接続して用いる電子機器に関する。
【背景技術】
【０００２】
使用者が、スイッチのオン、オフや、チャンネルの切り替え、画像の再生、停止、早送りなどの操作を本体に近づかなくても行うことが可能なリモコンを備えた電子機器は以前から広く用いられている。
【０００３】
リモコンは、内蔵している駆動用の電池が消耗して電圧が低下すると動作しなくなるため、電池を交換する必要がある。しかし、使用者はリモコンで電子機器を操作できなくなって初めて電池の消耗に気づくこととなっており、交換用の電池の準備がない場合には使用できない期間が生じ、不便であった。また、リモコンで本体を操作できない理由が、本体側の故障によるものか、リモコンの電池が消耗したためであるのかもわからないという問題点もあった。
【０００４】
そこで、電池の消耗を明確にし、電池の交換や充電が望まれる時点で使用者に電池の交換や充電を促すべく、特許文献１〜３ではリモコンに内蔵した検出手段で電池の電圧が低下したことを検出すると、本体側に送信して本体に設けられた表示装置で電池の消耗を表示する方法が提案されている。
【０００５】
特許文献１〜３で提案された方法ではキー操作毎に電池電圧の検出と検出結果の送信とが行われることから、リモコンの消費電力が大きくなり、無線通信システム全体の稼働時間が短縮されるという問題が生じる。そのため、特許文献４では、本体側からリモコンに電池の残量検出を指示し、リモコンはその指示を受けて電池の残量を検出してその検出結果を送信し、本体側の表示手段で受信した結果を表示する方法が提案されている。
【０００６】
また、特許文献５では、リモコン送信機からデータを送信している内に電池の電圧が降下すると、データを送信するとともに電圧の降下を表す信号を送信し、ＶＴＲの受信部でその信号を受信して、テレビ画面上やＬＥＤ、音声で電池交換の必要を知らせる表示を行う方法が提案されている。
【０００７】
【特許文献１】特開平０６−１５３２６８号公報（第２頁、第３頁、図３、図４）
【特許文献２】特開平０６−２４５２８１号公報（第４頁、第５頁、図４）
【特許文献３】特開平０９−３３１５８５号公報（第５頁、図８）
【特許文献４】特開２０００−３３２６４４号公報（第５頁、第６頁、図３）
【特許文献５】特開平０５−０７６０６７号公報（第２頁、第３頁、図１）
【発明の開示】
【発明が解決しようとする課題】
【０００８】
特許文献１〜４で提案された方法では、本体の表示手段でしかリモコンの電池の消耗を通知することができない。また、特許文献５で提案された方法では、ＶＴＲに接続されたテレビにおいてリモコンの電池の消耗を表示することができるが、テレビの電源が切れていると表示することができない。そこで、本発明は、画像表示装置においてリモコンの電池が消耗したことを表示することができ、本体に接続された画像表示装置の電源が切れている場合にリモコンの電池が消耗したことを受信すると、画像表示装置の電源が入ると直ちにその旨を表示できる電子機器を提供することを目的とする。
【課題を解決するための手段】
【０００９】
上記目的を達成するため、本発明は、電池と、前記電池の電圧を検知する電圧検知部と、前記電圧検知部が検知した前記電池の電圧が所定の電圧以下となったことを検知すると固有のコードとともに電池消耗信号を発信する信号発信部とを有するリモコンと、前記電池消耗信号を受信する受信部と、表示部と、画像表示装置に信号を送信するインターフェイスとを有し、前記受信部において前記電池消耗信号を受信すると、前記表示部において前記電池が消耗したことを表示するとともに前記インターフェイスから前記電池が消耗したことを表示する信号を送信する本体とを備える電子機器において、前記本体は、前記電池消耗信号を受信したときに前記画像表示装置の電源が切れていることを感知すると、前記電池消耗信号を受信したことをメモリに記憶し、その後前記画像表示装置の電源が入ったことを感知すると、前記メモリの前記電池消耗信号を受信した記憶に基づき前記インターフェイスから前記電池が消耗したことを表示する信号を送信するものであり、かつ複数の前記リモコンについて前記電池消耗信号を受信可能であり、前記リモコンの各々について前記電池が消耗したことを表示する信号を前記インターフェイスから送信することを特徴とする。画像表示装置としては、例えばＣＲＴ（Ｃａｔｈｏｄｅ  Ｒａｙ  Ｔｕｂｅ；陰極線管）ディスプレイや液晶表示装置を備えたモニタやテレビを用いることができる。
【００１０】
また、本発明は、電池と、前記電池の電圧を検知する電圧検知部と、前記電圧検知部が検知した前記電池の電圧が所定の電圧以下となったことを検知すると固有のコードとともに電池消耗信号を発信する信号発信部とを有するリモコンと、前記電池消耗信号を受信する受信部と、画像表示装置に信号を送信するインターフェイスとを有し、前記受信部において前記電池消耗信号を受信すると、前記インターフェイスから前記電池が消耗したことを表示する信号を送信する本体とを備える電子機器において、前記本体は前記電池消耗信号を受信したときに前記画像表示装置の電源が切れていることを感知すると、前記電池消耗信号を受信したことをメモリに記憶し、その後前記画像表示装置の電源が入ったことを感知すると、前記メモリの前記電池消耗信号を受信した記憶に基づき前記インターフェイスから前記電池が消耗したことを表示する信号を送信することを特徴とする。
【００１１】
また、上記構成の電子機器において、前記本体が表示部を備え、前記受信部において前記本体に対応したリモコンから前記電池消耗信号を受信すると、前記表示部において前記本体に対応したリモコンの前記電池が消耗したことを表示するものとしてもよい。
【発明の効果】
【００１２】
本発明によると、本体に接続された画像表示装置に表示することで、使用者に明確にリモコンの電池が消耗したことを通知することができる。また、本体に接続された画像表示装置の電源が切れている場合にリモコンの電池が消耗したことを受信すると、画像表示装置の電源が入ると直ちにその旨を表示することができる。さらに、画像表示装置のみならず、電子機器本体に設けられた表示部においても、電子機器本体に対応したリモコンの電池の消耗も通知することができる。
【００１３】
また、電子機器本体の簡単な構成の変更で、電子機器本体に対応したリモコンのみならず、他の電子機器のリモコンの電池の消耗も、テレビなどの画像表示装置を通じて使用者に通知することができる。
【発明を実施するための最良の形態】
【００１４】
本発明の実施形態について、図を用いて説明する。図１は本実施形態のリモコン、本体およびディスプレイのブロック図、図２は本実施形態のリモコンの制御フローチャート、図３は本実施形態の本体およびディスプレイの制御フローチャートである。
【００１５】
本実施形態のリモコン１０は電池で駆動するものであり、図１に示すように、第１の制御部１１と、電圧検知部１２と、電池１３と、複数のキー１４と、信号発信部１５とを備える。
【００１６】
ＤＶＤ・ＶＣＲ複合機である本体２０は、第２の制御部２１と、受信部２２と、受信信号判断部２３と、表示部２４と、第１のインターフェイス２５とを備える。受信部２２は、リモコン１０の信号発信部１５から発信された信号を受信するものであり、受信信号判断部２３はその受信した信号の内容を判断するものである。第１のインターフェイス２５は、ケーブル３０を介してディスプレイ４０の第２のインターフェイス４２と接続するものであり、ディスプレイ４０の画面４３に表示させる画像の信号をディスプレイ４０に送る。表示部２４は、本体２０およびリモコン１０の動作状態等を表示するＬＥＤ（Ｌｉｇｈｔ  Ｅｍｉｔｔｉｎｇ  Ｄｉｏｄｅ；発光ダイオード）などからなるものであり、使用者が見やすいように本体２０の前面パネル（不図示）に設けられている。
【００１７】
ディスプレイ４０は、第３の制御部４１と、第２のインターフェイス４２と、画面４３とを備える。第３の制御部４１は、ケーブル３０および第２のインターフェイス４２を介して本体２０から画像信号を受信するものであり、画面４３はその信号に基づいて画像を表示するものである。
【００１８】
本体２０は、ＤＶＤ・ＶＣＲ複合機であり、ＤＶＤディスクおよびビデオテープの録画、再生を行うことや、本体２０に接続されたディスプレイ４０の画面４３にＤＶＤディスクおよびビデオテープに録画された映像を再生することができる。
【００１９】
リモコン１０は、使用者が本体２０を離れた位置から操作するのに用いるものであり、待機中の本体２０の電源を入れる動作、本体２０の電源を切って待機状態に戻す動作、ＤＶＤディスクおよびビデオテープの録画、再生、一時停止、停止、内蔵チューナーのチャンネル切り替えなどの操作を、各動作に対応したキー１４を押下することにより行うことができる。
【００２０】
リモコン１０において、所望の動作に対応したキー１４を押下すると、第１の制御部１１でそれを検知し、信号発信部１５からその動作に対応した信号を赤外線や電波などの搬送波とともに送信する。本体２０では、その信号を受信部２２で受信し、受信信号判断部２３において信号の内容を判断して所望の動作を行う。
【００２１】
本実施形態において、リモコン１０の電池１３が消耗すると、本体２０の表示部２４およびディスプレイ４０の画面４３にその旨が表示される。以下、図２および図３を用いて、この制御について説明する。
【００２２】
リモコン１０の電圧検知部１２では、図２に示すように、電池１３の電圧を常時監視している（Ｓ１１０）。電池１３が消耗して電圧が所定の値、例えば２．０Ｖ以下に低下し、電圧検知部１２でこれを検知する（Ｓ１２０）と、第１の制御部１１でそれを受け、信号発信部１５からそのリモコン１０に固有のコードとともに電池消耗信号を送信する（Ｓ１３０）。この電圧の所定の値は２．０Ｖに限られないが、使用者に電池１３を交換する猶予を与えるために、リモコン１０が完全に動作しなくなる電圧よりも高い電圧であることが好ましい。
【００２３】
ここで本体２０は、図３に示すように、ＤＶＤディスクおよびビデオテープの録画、再生または待機中の状態において、常に信号を待機している（Ｓ２１０）。この状態で、受信部２２で受信した信号を、受信信号判断部２３においてリモコン１０の電池消耗信号であることを判断する（Ｓ２２０）と、表示部２４に例えば「ｂａｔｔｒｙ」と表示し、リモコン１０の電池１３が消耗したことを表示する（Ｓ２３０）。続いて、第２の制御部２１においてディスプレイ４０の画面４３に電池１３が消耗したことをＯＳＤ（Ｏｎ−ｓｃｒｅｅｎ  ｄｉｓｐｌａｙ）表示させる電池消耗表示信号を生成し（Ｓ２４０）、その時点で画面４３に表示している映像の内容と、電池１３が消耗したことについてのＯＳＤ表示とを組み合わせた合成画像の信号を生成する（Ｓ２５０）。ディスプレイ４０では、この合成画像の信号を第１のインターフェイス２５およびケーブル３０を介して第２のインターフェイス４２で受信すると、第３の制御部４１はその信号に基づいて画面４３に、例えば「ＤＶＤプレーヤのリモコンの電池が少なくなっています」という文字をその時点で表示している映像に合成した画像を表示させる（Ｓ２６０）。
【００２４】
ディスプレイ４０の電源が切れている場合は、受信部２２で電池消耗信号を受信し、受信信号判断部２３においてリモコン１０の電池消耗信号であることを判断し、表示部２４に、リモコン１０の電池１３が消耗したことを表示する。続いて、本体２０の第２の制御部２１で第１のインターフェイス２５およびケーブル３０を介してディスプレイ４０の電源が切れていることを感知し、第２の制御部２１の内蔵するメモリに電池消耗信号を受信したことを記憶する。そして、ディスプレイ４０の電源が入ったことを第２の制御部２１で感知すると、メモリの内容に基づき、その時点で画面４３に表示している映像の内容と、電池１３が消耗したことについてのＯＳＤ表示とを組み合わせた合成画像の信号をディスプレイ４０に送信し、画面４３に電池１３が消耗したことについてのＯＳＤ表示をその時点で表示している映像に合成した画像を直ちに表示する。
【００２５】
これにより、リモコン１０の電池が消耗したことを使用者に明確かつ迅速に通知することができる。なお、表示部２４での表示は本体２０の電源が入っている間は電池が交換されるまで表示され続け、ディスプレイ４０の画面４３でのＯＳＤ表示はリモコン１０のキー１４の操作により消去できるものとしてもよい。また、ディスプレイ４０の電源が切れている間にリモコン１０の電池１３を新しいものと交換した場合は、電圧検知部１２において電池１３の電圧が所定の値よりも高いことを検知すると、第１の制御部１１でそれを受け、信号発信部１５からそのリモコン１０に固有のコードとともに電池１３の電圧が所定の値よりも高いことを表す信号を送信する。本体２０の受信部２２でこの信号を受信し、受信信号判断部２３において電池１３の電圧が所定の値よりも高いことを表す信号であることを判断すると、表示部２４の表示を消去するとともに、第２の制御部２１のメモリから電池消耗信号を受信したことを消去してもよい。
【００２６】
さらに、本実施形態において、本体２０用のリモコン１０のみならず、図１に示すように、他の電化製品用のリモコン、例えば空調機用のリモコン５０についても、発信した電池消耗信号を本体２０において受信し、ディスプレイ４０の画面４３にその電化製品用のリモコン５０の電池が消耗した旨をＯＳＤ表示させることができる。
【００２７】
この場合、リモコン５０は電圧検知部１２を備え、送信する信号はそのリモコンに固有のコードを含むものとする。それに加えて、本体２０の受信信号判断部２３はリモコン５０からの信号に含まれるコードを読み取り、いずれのリモコンからの信号かを判断し、その信号が電池消耗信号であることを判断すると、該当するリモコンの電池が消耗したことをＯＳＤ表示させる電池消耗表示信号を生成するものとする。本実施形態では、リモコン５０はリモコン１０と同様の構成としたが、上述の構成を含む限りにおいてリモコン１０と異なる構成であってもよい。
【００２８】
ディスプレイ４０は、リモコン５０の電池消耗表示信号を受信すると、本体２０用のリモコン１０の場合と同様に、第３の制御部４１において、その時点で画面４３に表示している内容と、リモコン５０の電池が消耗したことについてのＯＳＤ表示とを組み合わせた画像の信号を生成し、画面４３ではその信号に基づいて、例えば「エアコンのリモコンの電池が少なくなっています」という文字をその時点で表示している映像に合成した画像を表示する。
【００２９】
また、リモコン１０とリモコン５０が、複数同時に電池消耗信号を発信した場合には、それらのリモコンの電池が消耗したことをディスプレイ４０の画面４３においてＯＳＤ表示することができる。
【００３０】
この場合、本体２０用のリモコン１０の電池の消耗についてのみ、本体２０の表示部にも表示し、それ以外のリモコンの電池の消耗についてはＯＳＤ表示だけで表示することとすると、本体２０の形状や設計を大きく変えることなく、第２の制御部２１だけを変更することで、容易に複数のリモコンの電池の消耗を通知することができる。なお、本実施形態では、本体２０用のリモコン１０以外のリモコンは１個としたが、２個以上であっても構わない。
【産業上の利用可能性】
【００３１】
本発明は、ＶＣＲ、ＤＶＤプレーヤなどのディスプレイに接続して用いる電子機器、ディスプレイを備えたテレビなどに適用することができる。
【図面の簡単な説明】
【００３２】
【図１】本実施形態のリモコン、本体およびディスプレイのブロック図
【図２】本実施形態のリモコンの制御フローチャート
【図３】本実施形態の本体およびディスプレイの制御フローチャート
【符号の説明】
【００３３】
１０    リモコン
１２    電圧検知部
１３    電池
１５    信号発信部
２０    本体
２２    受信部
２４    表示部
２５    第１のインターフェイス
４０    ディスプレイ
【図１】
2008109309.tif 000003
【図２】
2008109309.tif 000004
【図３】
2008109309.tif 000005